【手続補正書】
【提出日】平成19年2月2日(2007.2.2)
【手続補正１】
【補正対象書類名】明細書
【補正対象項目名】特許請求の範囲
【補正方法】変更
【補正の内容】
【特許請求の範囲】
【請求項１】  下記の構造（Ｖ）の単官能性芳香族ハロホルメートの連続製造方法であって、
ａ）１）苛性アルカリ水溶液、２）ハロゲン化カルボニル、３）１種類以上の単官能性ヒドロキシ芳香族化合物及び４）１種類以上の不活性有機溶媒を連続反応系に導入する段階、及び
ｂ）構造（Ｖ）の単官能性芳香族ハロホルメートを生成するのに十分な時間及び条件で１）、２）、３）及び４）を互いに接触させる段階
を含んでなる方法。
【化１】
2002540183.tif 000001
式中、ｎは１〜５の整数であり、Ｒ1は水素、炭素原子数１〜１５の枝分れ又は非枝分れアルキル基、置換もしくは非置換アリール基、置換もしくは非置換環式脂肪族基、又は置換もしくは非置換アリールアルキル基を表し、Ｘは臭素、フッ素、ヨウ素又は塩素を表す。
【請求項２】  前記単官能性芳香族ハロホルメートが下記の構造（Ｉ）の単官能性芳香族クロロホルメートであり、前記ハロゲン化カルボニルが塩化カルボニルである、請求項１記載の方法。
【化２】
2002540183.tif 000002
【請求項３】  当該連続製造方法を１〜４段の管型反応器で実施する、請求項２記載の方法。
【請求項４】  当該連続製造方法を１段の管型反応器で実施する、請求項２記載の方法。
【請求項５】  前記連続反応系に含まれるトリエチルアミンが５０ｐｐｍ未満である、請求項２記載の方法。
【請求項６】  前記連続反応系において、苛性アルカリ水溶液、塩化カルボニル、単官能性ヒドロキシ芳香族化合物及び不活性有機溶媒の接触を、有機リン触媒の非存在下で実施する、請求項２記載の方法。
【請求項７】  前記単官能性ヒドロキシ芳香族化合物が、フェノール、ｐ−ｔｅｒｔ−ブチルフェノール、ｏ−クレゾール、ｍ−クレゾール、ｐ−クレゾール、ｏ−エチルフェノール、ｐ−エチルフェノール、ｐ−クミルフェノール、クロマン、ｐ−オクチルフェノール、ｐ−ノニルフェノール、α−ナフトール、β−ナフトール及びこれらの混合物からなる群から選択される、請求項２記載の方法。
【請求項８】  前記単官能性ヒドロキシ芳香族化合物が、フェノール、ｔｅｒｔ−ブチルフェノール、ｐ−クミルフェノール、クロマン及びこれらの混合物からなる群から選択される、請求項２記載の方法。
【請求項９】  前記単官能性ヒドロキシ芳香族化合物がｐ−クミルフェノールである、請求項２記載の方法。
【請求項１０】  当該連続製造方法がオンデマンド式プロセスであり、バッチ式ポリカーボネート合成と結合している、請求項２記載の方法。
【請求項１１】  前記連続反応系における滞留時間が１段当たり０．５〜３０秒である、請求項３記載の方法。
【請求項１２】  前記連続反応系における滞留時間が１段当たり０．５〜１０秒である、請求項３記載の方法。
【請求項１３】  前記連続反応系における滞留時間が０．５〜３０秒である、請求項４記載の方法。
【請求項１４】  前記連続反応系における滞留時間が０．５〜１０秒である、請求項４記載の方法。
【請求項１５】  前記塩化カルボニル及び単官能性ヒドロキシ芳香族化合物を１．０５：１〜１０：１の第一のモル流量比で反応系に導入し、前記苛性アルカリ及び単官能性ヒドロキシ芳香族化合物を１．１：１〜３：１の第二のモル流量比で反応系に導入する、請求項２記載の方法。
【請求項１６】  前記単官能性ヒドロキシ芳香族化合物の重量と前記不活性溶剤の重量の相対比が０．５：９９．５〜２０：８０である、請求項２記載の方法。
【請求項１７】  前記苛性アルカリ水溶液の濃度が１０〜５０重量％である、請求項２記載の方法。
【請求項１８】  前記反応系の内容物を６０℃未満の温度に維持する、請求項２記載の方法。
【請求項１９】  前記塩化カルボニルがホスゲンである、請求項２記載の方法。
【請求項２０】  前記不活性有機溶媒が、ペンタン、ヘキサン、シクロヘキサン、ヘプタン、トルエン、キシレン、クロロベンゼン、ジクロロベンゼン、ニトロベンゼン、クロロホルム、塩化メチレン及びこれらの混合物からなる群から選択される、請求項２記載の方法。
【請求項２１】  前記不活性有機溶媒が塩化メチレンである、請求項２記載の方法。
【請求項２２】  段階ａ）と段階ｂ）を同時に実施する、請求項２記載の方法。
【請求項２３】  当該方法を断熱式に実施する、請求項２記載の方法。
【請求項２４】  以下の段階：
ａ）上流端の入口及び下流端の出口を有する管型反応器と該反応器を通して流体を搬送する手段から実質的になる反応器を含む反応系を準備する段階、
ｂ）不活性有機溶媒及び単官能性ヒドロキシ芳香族化合物を含む供給流を管型反応器の上流端の入口に導入する段階、
ｃ）管型反応器に塩化カルボニルを導入する段階、
ｄ）管型反応器に苛性アルカリ水溶液を導入する段階、及び
ｅ）単官能性芳香族クロロホルメート生成物を生成するのに十分な時間及び条件で塩化カルボニル、単官能性ヒドロキシ芳香族化合物及び苛性アルカリ水溶液を互いに接触させる段階
を含んでなる、請求項２記載の方法。
【請求項２５】  前記反応系が、第一の予冷器、第二の予冷器及び第一の予冷器と結合したミキサーをさらに含んでおり、前記単官能性ヒドロキシ芳香族化合物を不活性有機溶媒中に溶解して第一の予冷器に供給し、第一の予冷器から出たところで上記ミキサーに供給し、前記苛性アルカリ水溶液を第二の予冷器に供給し、第一予冷器及び第二予冷器から出た流れを管型反応器に供給する、請求項２４記載の方法。
【請求項２６】  前記塩化カルボニルを管型反応器の上流端に導入する、請求項２４記載の方法。
【請求項２７】  前記苛性アルカリ水溶液を管型反応器の上流端に導入する、請求項２４記載の方法。
【請求項２８】  前記塩化カルボニルを、管型反応器の上流端に導入される供給流に溶解する、請求項２４記載の方法。
【請求項２９】  前記塩化カルボニルがホスゲンである、請求項２４記載の方法。
【請求項３０】  段階ｂ）〜段階ｅ）を同時に実施する、請求項２４記載の方法。
【請求項３１】  前記塩化カルボニル及び単官能性ヒドロキシ芳香族化合物を１．０５：１〜１０：１の第一のモル流量比で管型反応器に導入し、前記苛性アルカリ及び単官能性ヒドロキシ芳香族化合物を１．１：１〜３：１の第二のモル流量比で管型反応器に導入する、請求項２４記載の方法。
【請求項３２】  前記反応系において、苛性アルカリ水溶液、塩化カルボニル、単官能性ヒドロキシ芳香族化合物及び不活性有機溶媒の接触を、追加の触媒の非存在下で実施する、請求項２４記載の方法。
【請求項３３】  前記連続反応系に含まれるトリエチルアミンが５０ｐｐｍ未満である、請求項２４記載の方法。
【請求項３４】  前記反応系において、苛性アルカリ水溶液、塩化カルボニル、単官能性ヒドロキシ芳香族化合物及び不活性有機溶媒の接触を有機リン触媒の非存在下で実施する、請求項２４記載の方法。
【請求項３５】  当該方法を断熱式に実施する、請求項２４記載の方法。
【請求項３６】  当該プロセスを、レイノルズ数が２００〜１０００００となるように実施する、請求項２４記載の方法。
【請求項３７】  前記単官能性芳香族クロロホルメートがｐ−クミルフェニルクロロホルメートであり、当該方法が、
ａ）上流端の入口及び下流端の出口を有する管型反応器と該反応器を通して流体を搬送する手段から実質的になる反応器を含む反応系を準備する段階、
ｂ）塩化メチレン及びｐ−クミルフェノールを含む供給流を管型反応器の上流端の入口に導入する段階、
ｃ）管型反応器にホスゲンを導入する段階、
ｄ）管型反応器に苛性アルカリ水溶液を導入する段階、及び
ｅ）ｐ−クミルフェニルクロロホルメートを生成するのに十分な時間及び条件でホスゲン、ｐ−クミルフェノール及び苛性アルカリ水溶液を互いに接触させる段階
を含んでなる、請求項２４記載の方法。
【請求項３８】  ｆ）前記管型反応器の出口からｐ−クミルフェニルクロロホルメートを含む生成物流を回収する段階をさらに含む、請求項３７記載の方法。
【請求項３９】  ａ）上流端と下流端及び１以上の入口と１以上の出口を有する管型反応器、
ｂ）管型反応器内で反応混合物をなす塩化カルボニル、苛性アルカリ水溶液、単官能性ヒドロキシ芳香族化合物及び不活性有機溶媒を反応器に導入する手段、及び
ｃ）２００〜２００００のレイノルズ数で特徴付けられる乱流条件下で反応混合物を管型反応器を通して搬送する手段
を含んでなる管型反応器系。
【請求項４０】  長さと直径の比が１０以上である、請求項３９記載の管型反応器系。
【請求項４１】  長さと直径の比が２０以上である、請求項３９記載の管型反応器系。